(57)【要約】【課題】窓枠状のフロントフレームに生じるねじれや反りの発生を防止して、発光面からの発光むらが低減できるとともに組立作業が容易となる反射板方式のバックライト装置を提供することを目的とする。【解決手段】反射体１１を含むバックフレーム１と、このバックフレーム１にランプホルダ２１を介し配置されたランプ２と、上記バックフレーム１の周縁上に載置された光拡散部材４、５と、この光拡散部材４、５の上部周縁部を囲繞して設けられ上記バックフレーム１と係合する窓枠状のフロントフレーム６とから構成され、上記フロントフレーム６が、分割されたフレーム部材６Ａ、６Ａからなるバックライト装置Ｂ１である。【選択図】  図１
2007207506.tif 000002
【特許請求の範囲】
【請求項１】
反射体を含むバックフレームと、このバックフレームにランプホルダを介し配置されたランプと、上記バックフレームの周縁上に載置された光拡散部材と、この光拡散部材の上部周縁部を囲繞して設けられ上記バックフレームと係合する窓枠状のフロントフレームとから構成されるバックライト装置において、
上記フロントフレームは、分割された構造をなすことを特徴とするバックライト装置。
【請求項２】
上記フロントフレームは、長手方向において分割されていることを特徴とする請求項１に記載のバックライト装置。
【請求項３】
上記分割されたフロントフレームは、上記バックフレームとスライド係合していることを特徴とする請求項１または２に記載のバックライト装置。
【請求項４】
上記バックフレームとスライド係合したフロントフレームは、ねじまたは凹凸部によりバックフレームに係止していることを特徴とする請求項１ないし3のいずれか一に記載のバックライト装置。
【発明の詳細な説明】
【技術分野】
【０００１】
本発明は、液晶表示装置や広告灯などに用いられるバックライト装置のフロントフレ  ームの構造に関する。
【背景技術】
【０００２】
液晶表示装置などの長方形状をしたバックライト装置としては、導光体の端面周囲に直管状やL字状あるいわコ字状のランプを配設した導光体方式および光拡散板の背面側に管状や板状のランプと反射板とを配設した反射板方式がよく知られている。
【０００３】
上記導光体方式のバックライト装置は、ランプからの光が導光体の反対側の端面ないしは中央部にまで十分に到達して導光体のほぼ全面において均一な光量を得なければならないことから比較的小型のバックライト装置に用いられている。
【０００４】
また、上記反射板方式のバックライト装置は、光拡散板の背面側に管状ランプが配設される構造であるため小型から大型のバックライト装置に適用が可能でひろく使用されている。
【０００５】
この従来の反射板方式のバックライト装置は、例えば並列して配置された管状蛍光ランプと、このランプを支持するランプホルダと、上記ランプおよびランプホルダの背面側に配設された反射板や反射シートを含むバックフレームと、上記ランプおよびランプホルダの表面側のバックフレームの周縁上に載置された光拡散板、光拡散シートやレンズシートなどの周縁部を覆うように挟み、このバックフレームの周縁に嵌め合わせるとともにねじでもって固定されている金属または合成樹脂製の窓枠状のフロントフレームなどとで構成している。
【０００６】
この反射板方式のバックライト装置の窓枠状のフロントフレームは、金属板からなる場合には絞りやプレス加工などにより、また、合成樹脂の場合には型成形により一体成形したものが得られるが、大型化すると窓枠状のフロントフレームの特に長辺側には加工応力によるねじれや反りが発生しやすかった。
【発明の開示】
【発明が解決しようとする課題】
【０００７】
そして、上記のように長方形状をした窓枠状のフロントフレームにねじれや反りがあったり、ねじ止めによる応力により、バックフレームの周縁上に載置された光拡散板、光拡散シートやレンズシートなどの周縁部が浮きあがり、これを抑えるなどのことをしながら作業を行わなければならず作業性が悪かった。また、この作業時フレームを強く押圧した部分と弱い部分とでは浮きにより隙間が生じ、これに起因してシート類に撓みが発生し、この撓みによる発光面からの光むらが問題となっていた。
【０００８】
本発明は上記事情に鑑みなされたもので、上記窓枠状のフロントフレームに生じるねじれや反りの発生を防止して、発光面からの発光むらが低減できるとともに組立作業が容易となる反射板方式のバックライト装置を提供することを目的とする。
【課題を解決するための手段】
【０００９】
本発明の請求項１に記載のバックライト装置は、反射体を含むバックフレームと、このバックフレームにランプホルダを介し配置されたランプと、上記バックフレームの周縁上に載置された光拡散部材と、この光拡散部材の上部周縁部を囲繞して設けられ上記バックフレームと係合する窓枠状のフロントフレームとから構成されるバックライト装置において、上記フロントフレームは、分割された構造をなすことを特徴とする。
【００１０】
バックフレームに取り付けられる正面からみて例えば長方形をした窓枠状のフロントフレームを、長手方向に分割したものを用い合体することにより構成しているので、個々のフロントフレーム部品の小形化がはかれフレーム成形時や作業時にねじれや反りの生じるのを大形部品より大幅に低減することができる。
【００１１】
また、ねじれや反りなどの発生が少ないフロントフレーム部品を用いているので、組立作業時にバックフレームの周縁上に載置された光拡散板、光拡散シート、偏向シートやレンズシートなどの周縁部が浮きあがることなく確実に抑えることができる。
【００１２】
また、上記フロントフレーム部品の分割は二分割以上でもよく、二等分であれば同形の部品を一対用いることができるので異形部品点数が増えることがない。また、フロントフレームおよびバックフレームの外形は長方形や正方形など四角形状をしたものに適用できる。
【００１３】
なお、本発明および以下の各発明において、特に指定しない限り用語の定義および技術的意味は次による。
【００１４】
上記フロントフレームの形成材料としては、ガラス入りポリカーボネイトなどの合成樹脂あるいはステンレスやアルミニュームなどの金属板を用いることができるが、近時は成形時のばり発生や発錆などの問題から合成樹脂材料が多く用いられる傾向にある。
【００１５】
また、光反射体とはバックフレーム面に直接形成された反射膜などあるいはフレームに
配設された反射鏡や反射シートなどを指す。
【００１６】
また、光拡散部材とは光拡散板、光拡散シートや偏向シート、場合によってはレンズシートなどを含むものを指す。
【００１７】
光源として用いられるランプとは、蛍光ランプや希ガス発光ランプなどの放電ンプあるいは白熱電球などで、バルブ形状が直管形、Ｕ字形，Ｗ字形あるいは平板形などのランプを１ないし複数本並列したものからなる。
【００１８】
本発明の請求項２に記載のバックライト装置は、フロントフレームが長手方向において分割されていることを特徴とする。
【００１９】
長方形状をしたフロントフレームの長辺側の長い部分において分割することにより長寸部分の長さを短寸とすることができ、フレームに生じるねじれや反りを少なく抑えることができる。なお、短辺側の部分において分割することも可能である。
【００２０】
このフロントフレーム部品の分割は二分割以上でもよく、二等分であれば同形の部品を一対用いることができるので異形部品点数が増えることがない
本発明の請求項３に記載のバックライト装置は、上記分割されたフロントフレームが、上記バックフレームとスライド係合していることを特徴とする。
【００２１】
これはフロントフレームを分割することにより可能となったものである。すなわち、フレームの横断面を略コ字形状に形成したフロントフレーム部材を、光拡散部材などを載置したバックフレームの側板の端部に臨ませ、これら光拡散部材などを挟みフロントフレーム部材をスライド装着することに光拡散部材などを挟圧固定したものである。
【００２２】
なお、この横断面が略コ字形状とはバックフレームの側板の形状に合わせたコ字形状、Ｕ字形状、Ｖ字形状や一方側に開口部を形成した多角形状をしたものなどを指し、その上方および下方に位置する板体は同寸でなくてもよく、要はバックフレームの側板を挟むよう係合する形状であればよい。
【００２３】
本発明の請求項４に記載のバックライト装置は、上記バックフレームとスライド係合したフロントフレームが、ねじまたは凹凸部によりバックフレームに係止していることを特徴とする。
【００２４】
バックフレームの側板にスライド係合したフロントフレーム部材はその先端部相互が衝合した後、あるいは先端部相互が重合した後に、側板にねじを介しあるいは側板およびフレーム部材の対応箇所に予め形成しておいた凹凸部を係止させることにより固定される。
【発明の効果】
【００２５】
請求項１の発明によれば、バックフレームに組み付けられた窓枠状のフロントフレームに生じるねじれや反りなどの発生を抑制して、バックフレームの周縁上に載置された光拡散板、光拡散シートや偏向シートなどを確実に固定し、部分的に浮く隙間に起因する光拡散部材などの撓みによる発光面からの発光むらを低減した、発光面から均等の発光が得られる。小型のバックライト装置でも構わないが特に大型化した場合に好適する。
【００２６】
また、ねじれや反りなどの発生が少ないフレームを用いているので、組立作業時に光拡散部材などを確実・容易に抑えることができ作業性を高めることが可能になるとともに外観上も好ましい反射板方式のバックライト装置を提供できる。
【００２７】
請求項２の発明によれば、長寸部分の長さを短寸とすることによりフレームに生じるねじれや反りの抑制がはかれ、上記請求項１に記載と同様な効果を奏するバックライト装置を提供することができる。
【００２８】
請求項３の発明によれば、光拡散部材などを載置したバックフレームの側板に横断面が略コ字形状に形成したフロントフレーム部材をスライド挿入する簡単な構造および作業で、確実な係合がはかれる上記請求項１に記載と同様な効果を奏するバックライト装置を提供することができる。
【００２９】
請求項４の発明によれば、バックフレームの側板にスライド係合したフロントフレーム部材は、側板にねじ止めあるいは対応箇所に予め形成しておいた凹凸部を係止させることにより容易に、かつ、確実に固定することができる。
【発明を実施するための最良の形態】
【００３０】
以下、本発明に関わる反射板方式のバックライト装置の実施の形態を図１および図２を参照して説明する。図１は分解斜視図、図２は組み立てられたバックライト装置Ｂ１の要部を断面して示す横断面図である。
【００３１】
図において１は金属板をプレス成形した長方形状のバックフレームで、内面側には直接鏡面仕上げをした反射面が形成されていたり反射シート１１が設けられている。また、長辺側の横断面形状は両端を山形に折り返した折曲部１２、１２が形成してあり、長手（長辺）方向最外部には側板１３、１３を有する。また、このバックフレーム１の短辺側の最外端部には、この端部側を覆うよう側板１４、１４が設けられた受箱状をなしている。
【００３２】
２、…は略Ｕ字形に屈曲したバルブを有する蛍光ランプで、複数本が上記バックフレーム１上のランプホルダ２１、…に係止固定してある。また、２２、…はランプ２、…のバルブ端部に装着されたゴムホルダで、ランプ２、…へ給電をするハーネス２３、…と接続してある。
【００３３】
３は透光性の合成樹脂やガラス製の光拡散板、４は透光性の合成樹脂からなる光拡散シート、５は偏向シートで、これら光拡散板３、光拡散シート４、拡散シート５などはバックフレーム１の折曲部１２、１２および側板１４、１４の周縁部上に積層載置してある。
【００３４】
また、６は合成樹脂製の正面からみて上記バックフレーム１と外形が略同寸の長方形をした窓枠状のフロントフレームで、長手方向にはほぼ同寸で成形した横断面が略Ｌ字形状の一対のフレーム部材６Ａ、６Ａの端部を衝合あるいは重合したものからなり、上記折曲部１２、１２および側板１４、１４の上面との間で光拡散板３、光拡散シート４、偏向シート５などの端縁部を挟み込み、フロントフレーム６側面の外方からねじ７、…をねじ込むことによりバックフレーム１に係止固定してバックライト装置Ｂ１が構成されている。
【００３５】
上記構成のバックライト装置Ｂ１は、例えばフロントフレーム６の大きさが長さ約５００ｍｍ、幅約３５０ｍｍ、高さ約３０ｍｍの比較的大型のものであるが、使用されるフレーム６が二分して成形された小型のフレーム部材６Ａ、６Ａであるため個々の部品に反りやねじれが少なく、ねじ７、…によりバックフレーム１に組み付けられてもフレーム６にねじれや反りが少なく係止固定できる。
【００３６】
したがって、バックフレーム１に組み付けられた上記窓枠状のフロントフレーム６に生じるねじれや反りなどの発生を抑制した、積層して固定される光拡散板３、光拡散シート４、偏向シート５などが部分的に浮く隙間に起因したシート類の撓みによる発光面からの発光むらを低減できる。
【００３７】
また、ねじれや反りなどの発生が少ない小形化したフレーム部材６Ａ，６Ａを用いているので、組立作業時にバックフレーム１の周縁上に載置された光拡散板３、光拡散シート４や偏向シート５などの周縁部が浮きあがることがなく確実・容易にこれを抑えることができ作業性を高めることが可能になるとともに外観上も好ましい反射板方式のバックライト装置を提供できる。
【００３８】
また、上記フロントフレーム部材の分割は二分割以上でもよく、二等分であれば同形の部品を一対用いることができるので異形部品点数が増えることがないコスト的にも優れたものである。
【００３９】
このバックライト装置Ｂ１は、上記光拡散シート４や偏向シート５、必要に応じ設けられたレンズシートなどと対面して配設された例えば液晶表示板と組み合わして液晶表示装置が構成され、液晶表示板からむらのない発光表示が行われる。
【００４０】
また、図３および図４は本発明のバックライト装置の他の実施の形態を示し、図３は分解斜視図、図４は組み立てられたバックライト装置Ｂ２の要部を断面して示す横断面図で、図１および図２と同一部分には同一の符号を付してその説明は省略する。
【００４１】
このバックライト装置Ｂ２が上記実施の形態と異なる点は、合成樹脂製の窓枠状のフロントフレーム６が、長手方向にはほぼ同寸で成形した横断面が略コ字形の一対のフレーム部材６Ｂ、６Ｂで構成したものからなる。また、この図３、４ではバックフレーム１側面の側板１３、１３および両フレーム部材６Ｂ、６Ｂの側面にはそれぞれ装着時に係合する凹凸部１５，１５，６１，６１が予め形成してある。
【００４２】
そして、ここでは光拡散板３、光拡散シート４や偏向シート５などを周縁部上に載置したバックフレーム１の長手方向の両側からこれらを挟むようにバックフレーム１の側面に沿いフレーム部材６Ｂ、６Ｂがスライドして装着される。
【００４３】
この装着された両フレーム部材６Ｂ、６Ｂの先端部が衝合あるいは重合する部位において側板１３、１３および両フレーム部材６Ｂ、６Ｂの側面に予め形成してあった凹凸部１５，１５，６１，６１が係合することによって両者は固定される。なお、この固定はさらにねじ止めを追加したり、ねじ止め単独による固定であってもよい。
【００４４】
このような構成のバックライト装置Ｂ２も、二分して成形された小形の各フレーム部材６Ｂ、６Ｂを用いることにより個々の部品にねじれや反りの発生が少なく、バックフレーム１に組み付けられても窓枠状のフロントフレーム６にねじれや反りなどが生じることを少なくすることができ、隙間に起因するシート類の撓みによる発光面からの発光むらを低減できるとともにその組み付けもねじを必要とせず嵌め合いとすることができるので作業を容易とすることができ生産性の向上がはかれる。
【００４５】
なお、本発明は上記実施の形態に限るものではなく、例えばフロントフレーム６を構成するフレーム部材６Ａや６Ｂは、フロントフレーム６の長さに合わせ二分したものに限らずフレーム部材６Ａや６Ｂの長さを長目にしておきバックフレーム１との組み合わせ時にその先端部相互が重合するよう形成してあってもよい。
【００４６】
また、このときの上記フロントフレーム部材６Ａや６Ｂとバックフレーム１との固定は、その重合部やその他の部位においてねじ止めあるいは略コ字形状のフレーム部材６Ｂの場合は凹凸部による係合で行なえ、この凹凸部の場合フレーム部材６Ｂ、６Ｂ相互であってもバックフレーム１とを含む三者の係合であってもよい。
【００４７】
そして、上記バックライト装置Ｂ１、Ｂ２は、発光面に対向して配設された液晶表示板、文字図形や模様などが描かれた交通用や宣伝用などの表示板、標識板の光源装置として用いられ、発光面から均斉のとれた発光がなされその発光品質を向上することができる。
【図面の簡単な説明】
【００４８】
【図１】本発明に関わる反射板方式のバックライト装置の実施の形態を示す分解斜視図である。
【図２】本発明の実施の形態を示す組み立てられたバックライト装置の要部を断面して示す横断面図である。
【図３】本発明に関わる反射板方式のバックライト装置の他の実施の形態を示す分解斜視図である。
【図４】本発明の実施の形態を示す組み立てられた他のバックライト装置の要部を断面して示す横断面図である。
【符号の説明】
【００４９】
Ｂ１、Ｂ２：バックライト装置、        １：バックフレーム、
１１：反射シート（反射体）、          １３：側板、
２：ランプ、                          ２１：ランプホルダ、
３：光拡散板（光拡散部材）、            ４：光拡散シート（光拡散部材）、
６：フロントフレーム、                ６Ａ、６Ｂ：フロントフレーム部材、  
７：ねじ、                            １５、６１：凹凸部、
【図１】
2007207506.tif 000003
【図２】
2007207506.tif 000004
【図３】
2007207506.tif 000005
【図４】
2007207506.tif 000006